(57)【要約】      （修正有）【課題】構造簡素、かつ土嚢の取り出しに不慣れな人々にとって簡易に使用でき、土嚢の取り出し作業性が良く、しかも設置スペースを可及的に狭小化できる土嚢収容ケースを提供する。【解決手段】  六面体１０１からなり、六面体１０１の各面が網部材により形成され、六面体１０１の内部に多数の土嚢を収容する土嚢収容ケース１００において、六面体１０１の正面に設けられる正面網部材２０が該正面の下寄りの一部だけを閉鎖し、該正面の残部は常時開放するとともに、六面体１０１の上面に設けられる上面網部材５０が開閉可能にされてなるもの。【選択図】図１
0003195693.tif 000002
【実用新案登録請求の範囲】
【請求項１】
多面体からなり、多面体の各面が網部材により形成され、多面体の内部に多数の土嚢を収容する土嚢収容ケースにおいて、
多面体の正面に設けられる正面網部材が該正面の下寄りの一部だけを閉鎖し、該正面の残部は常時開放するとともに、多面体の上面に設けられる上面網部材が開閉可能にされてなることを特徴とする土嚢収容ケース。
【請求項２】
前記上面網部材が多面体の上面から常時分離可能に、多面体の他の部材に対して非連結状態で上から載置されてなる請求項１に記載の土嚢収容ケース。
【請求項３】
前記多面体の底面に設けられる底面網部材が地面に接する脚部を下面に備え、底面網部材と地面との間に空隙を介してなる請求項１又は２に記載の土嚢収容ケース。
【請求項４】
前記多面体の各面を形成する網部材が互いに分解可能に接合されてなる請求項１〜３のいずれかに記載の土嚢収容ケース。
【請求項５】
前記底面網部材の上に底板を敷設し、前記土嚢を該底板の上に積載可能にしてなる請求項１〜４のいずれかに記載の土嚢収容ケース。
【請求項６】
前記多面体の外周に着脱されるカバーを有してなる請求項１〜５のいずれかに記載の土嚢収容ケース。
【請求項７】
前記多面体が六面体をなし、六面体の各面を形成する底面網部材、正面網部材、両側の側面網部材、背面網部材、及び上面網部材の各網部材を互いに組立てて構成されてなる請求項１〜６のいずれかに記載の土嚢収容ケース。
【考案の詳細な説明】
【技術分野】
【０００１】
本考案は土嚢収容ケースに関する。
【背景技術】
【０００２】
近時、短い時間に狭い地域で降る豪雨が増えており、各地域に床下浸水や床上浸水等の被害を生じている。浸水等のおそれがある場合、土嚢を用いて迅速に対応すれば、被害を少なくすることができる。そこで、地域の人々に土嚢を提供する土嚢置場が各地域に用意されている。
【０００３】
土嚢置場では、多数の土嚢を収容した土嚢収容ケースが設置され、大雨の予報が出たときや急に激しい雨が降り始めたときに、人々が自らの判断で土嚢を取り出して使えるようにしている。
【０００４】
従来、土嚢収容ケースとしては、例えば特許文献１に記載の如くのゴミ収集ケースが転用されている。この土嚢収容ケースは、六面体からなり、六面体の正面、両側面、背面、及び上面の各面を形成する網部材が互いに回動可能に接合されたものである。この六面体は正面を閉鎖する上側正面網部材と下側正面網部材を有しており、上側正面網部材を下側正面網部材の上縁部に対して閉鎖位置から手前側に回動させてその正面の上半部を開放可能にしている。また、六面体は上面を閉鎖する上面網部材を有しており、上面網部材を六面体の背面に設けられている背面網部材の上縁部に対して閉鎖位置から上側に回動させてその上面を開放可能にしている。上側正面網部材により正面の上半部を開放し、かつ上面網部材により上面を開放することで、土嚢を取り出しできる。
【先行技術文献】
【特許文献】
【０００５】
【特許文献１】特開2002-211701号公報
【考案の概要】
【考案が解決しようとする課題】
【０００６】
従来の土嚢収容ケースには以下の問題点がある。
(1)土嚢の取り出し時に、上側正面網部材により六面体の正面の上半部を開放するために、上側正面部材を下側正面部材に対して手前側に回動させる必要がある。上側正面網部材は、正面の閉鎖時には、下側正面網部材に対して自由に回動して手前側に倒れることのないように、ロック機構の如くの機械的構造によってその閉鎖位置に固定化されるようになっている。従って、正面の開放時には、上側正面網部材がいきなり手前側に倒れてこないように上側正面網部材を押さえながらロック機構を解除するとともに、上側正面網部材がその後ゆっくりと手前側に倒すように上側正面網部材に手を掛け続ける必要がある。即ち、構造複雑、かつ土嚢の取り出しに不慣れな人々にとって極めて煩雑で取り出し作業性が悪い。
【０００７】
また、土嚢収容ケースの前面側に上側正面網部材の回動半径スペースが必要になり、その分だけ設置スペースは大きくなる。
【０００８】
(2)土嚢の取り出し時に、上面網部材により六面体の上面を開放するために、上面網部材を背面網部材の上縁部に対して上側に回動させ、この上面網部材をその開放位置にて確実に停留させておく必要がある。即ち、構造複雑、かつ土嚢の取り出しに不慣れな人々にとって極めて煩雑で取り出し作業性が悪い。
【０００９】
また、土嚢収容ケースの背面側に上面網部材の回動後の停留スペースを確保する必要があり、その分だけ設置スペースが大きくなる。
【００１０】
本考案の課題は、構造簡素、かつ土嚢の取り出しに不慣れな人々にとって簡易に使用でき、土嚢の取り出し作業性が良く、しかも設置スペースを可及的に狭小化できる土嚢収容ケースを提供することにある。
【課題を解決するための手段】
【００１１】
請求項１に係る考案は、多面体からなり、多面体の各面が網部材により形成され、多面体の内部に多数の土嚢を収容する土嚢収容ケースにおいて、多面体の正面に設けられる正面網部材が該正面の下寄りの一部だけを閉鎖し、該正面の残部は常時開放するとともに、多面体の上面に設けられる上面網部材が開閉可能にされてなるようにしたものである。
【００１２】
請求項２に係る考案は、請求項１に係る考案において更に、前記上面網部材が多面体の上面から常時分離可能に、多面体の他の部材に対して非連結状態で上から載置されてなるようにしたものである。
【００１３】
請求項３に係る考案は、請求項１又は２に係る考案において更に、前記多面体の底面に設けられる底面網部材が地面に接する脚部を下面に備え、底面網部材と地面との間に空隙を介してなるようにしたものである。
【００１４】
請求項４に係る考案は、請求項１〜３のいずれかに係る考案において更に、前記多面体の各面を形成する網部材が互いに分解可能に接合されてなるようにしたものである。
【００１５】
請求項５に係る考案は、請求項１〜４のいずれかに係る考案において更に、前記底面網部材の上に底板を敷設し、前記土嚢を該底板の上に積載可能にしてなるようにしたものである。
【００１６】
請求項６に係る考案は、請求項１〜５のいずれかに係る考案において更に、前記多面体の外周に着脱されるカバーを有してなるようにしたものである。
【００１７】
請求項７に係る考案は、請求項１〜６のいずれかに係る考案において更に、前記多面体が六面体をなし、六面体の各面を形成する底面網部材、正面網部材、両側の側面網部材、背面網部材、及び上面網部材の各網部材を互いに組立てて構成されてなるようにしたものである。
【考案の効果】
【００１８】
（請求項１、２、７）
(a)土嚢収容ケースは、六面体等の多面体の正面に設けられる正面網部材が該正面の下寄りの一部だけを閉鎖し、該正面の残部は常時開放するとともに、多面体の上面に設けられる上面網部材が開閉可能にされる。従って、土嚢収容ケースの前面部に立ち、又は土嚢収容ケースの中に入った使用者は、土嚢収容ケースの内部の土嚢を多面体の正面の上半部の常時開放部及び上面網部材による多面体の上面の開放部から、容易に取り出しできる。
【００１９】
このとき、多面体の正面は、常時開放されていて、使用者に格別な開放操作を必要としない。
【００２０】
(b)土嚢収容ケースの上面網部材は多面体の上面から常時分離可能に、多面体の他の部材に対して非連結状態で上から載置される。従って、土嚢収容ケースの使用者は上面網部材を多面体の上面から単に取り除き、多面体の周辺の空きスペースに単に仮置きするだけで、多面体の上面を直ちに開放できる。
【００２１】
(c)上述(a)、(b)により、土嚢収容ケースは、多面体の正面や上面の開放に伴う複雑な機械的構造を必要とせず、構造簡素になるし、土嚢の取り出しに不慣れな人々でも簡易に使用でき、土嚢の取り出し作業性が良い。
【００２２】
また、土嚢収容ケースの設置スペースも上記正面、更には上面の開放に伴う余分なスペースを必要とせず、可及的に狭小化できる。
【００２３】
（請求項３）
(d)土嚢収容ケースの底面網部材が地面に接する脚部を下面に備え、底面網部材と地面との間に空隙を介する。これにより、土嚢が底面網部材の上に載置されるだけでなく、地面との間に底面網部材及びその下の空隙を介するものになり、土嚢の劣化を防ぐことができる。
【００２４】
（請求項４）
(e)土嚢収容ケースは、多面体の各面を形成する網部材が互いに分解可能に接合される。これにより、土嚢収容ケースの製造元から使用先への各部材の運搬性を向上できる。
【００２５】
（請求項５）
(f)土嚢収容ケースの底面網部材の上に底板を敷設し、土嚢を該底板の上に積載可能にする。底面網部材が網目状をなすものの、その上に敷いた底板の上に土嚢を積載することで、土嚢の破損を防ぐことができる。
【００２６】
（請求項６）
(g)土嚢収容ケースは、多面体の外周に着脱されるカバーを有する。これにより、土嚢収容ケースに収容された土嚢が直射日光や雨等にさらされて劣化するのを防ぐことができる。
【図面の簡単な説明】
【００２７】
【図１】図１は実施例１の土嚢収容ケースを示す斜視図である。
【図２】図２は土嚢収容ケースを示す正面図である。
【図３】図３は土嚢収容ケースを示す背面図である。
【図４】図４は土嚢収容ケースを示す平面図である。
【図５】図５は土嚢収容ケースを示す側面図である。
【図６】図６は土嚢収容ケースの各網部材を分解して示す斜視図である。
【図７】図７は上面網部材を示し、（Ａ）は平面図、（Ｂ）は正面図である。
【図８】図８は土嚢収容ケースに底板を敷設した状態を示す斜視図である。
【図９】図９は土嚢収容ケースの使用状態を示す模式図である。
【図１０】図１０は実施例２の土嚢収容ケースを示す正面図である。
【図１１】図１１は実施例３の土嚢収容ケースを示す正面図である。
【図１２】図１２は実施例４の土嚢収容ケースを示し、（Ａ）は正面図、（Ｂ）は上面網部材を取外して示す平面図である。
【考案を実施するための形態】
【００２８】
（実施例１）（図１〜図９）
実施例１の土嚢収容ケース１００は、地域に定めた土嚢置場等に設置され、地域の人々に提供される多数の土嚢１を収容する。土嚢１は、麻袋、ポリエチレン製布袋等に土砂を詰めて構成されたものである。
【００２９】
土嚢収容ケース１００は、図１〜図５に示す如く、箱状多面体、本実施例では六面体１０１からなり、六面体１０１の各面を形成する底面網部材１０、正面網部材２０、左右両側の側面網部材３０、３０、背面網部材４０、及び上面網部材５０の各網部材を互いに組立てて構成される。上面網部材５０を除く各網部材１０、２０、３０、４０はボルト接合されて箱状の六面体１０１を形成し、上面網部材５０は、後述する如くに、六面体１０１の上面に分離可能に載置される。但し、上面網部材５０は、六面体１０１の背面網部材４０（又は側面網部材３０）の上縁部にヒンジ結合され、開閉可能にされても良い。
【００３０】
底面網部材１０は、図６に示す如く、枠１１と網１２からなる。枠１１は、例えば４本の等辺山形鋼が四角枠状をなすように溶接されて形成される。底面網部材１０は、枠１１の左右方向長を３等分する２位置に各１本のつなぎ板１１Ａを設け、各つなぎ板１１Ａの両端部が六面体１０１内で水平配置される枠１１の前後の各山形鋼の水平辺の先端エッジに突き合せ溶接される。網１２は、ワイヤーメッシュからなり、ワイヤーメッシュの縦線と横線は各つなぎ板１１Ａの上に載置されて延在されるとともに、それらの各端部が六面体１０１内で水平配置される枠１１の前後と左右の各山形鋼の水平辺の上面に溶接される。底面網部材１０は、六面体１０１内で水平配置される枠１１の前後の各山形鋼の水平辺の下側面の軸方向複数位置及び各つなぎ板１１Ａの下側面の軸方向中央位置（本実施例では全１０位置）に山形鋼製脚部１３を備える。脚部１３は、土嚢収容ケース１０１が地面に設置されたとき、底面網部材１０と地面との間に空隙を介するものとなる。
【００３１】
正面網部材２０は、図６に示す如く、枠２１と網２２からなる。正面網部材２０は、後述する如くに、六面体１０１の正面の下半部だけに設けられる。枠２１は、例えば４本の等辺山形鋼が四角枠状をなすように溶接されて形成される。網２２は、ワイヤーメッシュからなり、ワイヤーメッシュの縦線と横線の各端部が六面体１０１内で鉛直配置される枠２１の上下と左右の各山形鋼の鉛直辺の内側面に溶接される。
【００３２】
各側面網部材３０は、図６に示す如く、枠３１と網３２からなる。枠３１は、例えば４本の等辺山形鋼が四角枠状をなすように溶接されて形成される。網３２は、ワイヤーメッシュからなり、ワイヤーメッシュの縦線と横線の各端部が六面体１０１内で鉛直配置される枠３１の上下と前後の各山形鋼の鉛直辺の外側面に溶接される。
【００３３】
背面網部材４０は、図６に示す如く、枠４１と網４２からなる。枠４１は、例えば４本の等辺山形鋼が四角枠状をなすように溶接されて形成される。網４２は、ワイヤーメッシュからなり、ワイヤーメッシュの縦線と横線の各端部が六面体１０１内で鉛直配置される枠４１の上下と左右の各山形鋼の鉛直辺の外側面に溶接される。
【００３４】
土嚢収容ケース１００は、六面体１０１の上面の前後に並び置かれる２枚の上面網部材５０、５０を有する。各上面網部材５０は、図７に示す如く、枠５１と網５２と左右の載せ板５３からなる。枠５１は、例えば前後２本の等辺山形鋼と左右２本の平板材（この平板材は左右の載せ板５３として兼用される）が四角枠状をなすように溶接されて形成される。網５２は、ワイヤーメッシュからなり、ワイヤーメッシュの縦線と横線の各端部が六面体１０１の上面に水平配置される枠５１の前後の各山形鋼の水平辺の下側面と左右の平板材の下側面に溶接される。載せ板５３は、六面体１０１の上面に水平配置される枠５１の前後の各山形鋼の両端部における水平辺の上面に板幅の一部が溶接され、板幅の残部が外方に突き出る突出舌片５３Ａとされる。
【００３５】
土嚢収容ケース１００の六面体１０１において、底面網部材１０の網１２を形成するワイヤーメッシュの線径は、他の各網部材２０、３０、４０、５０の各網２２、３２、４２、５２を形成するワイヤーメッシュの線径より太径とされる。
【００３６】
次に、土嚢収納ケースの組立手順の一例について説明する。
(1)底面網部材１０の左右両側に側面網部材３０を配置し、各側面網部材３０における枠３１の下枠材を、底面網部材１０における枠１１の左枠材と右枠材にボルト締結する（図５に示したボルト３０Ａ参照）。ボルト３０Ａは枠１１の左右の枠材に設けためねじに螺着される（ナットを用いても可）。
【００３７】
(2)底面枠部材１０における枠１１の前枠材の上に正面網部材２０における枠２１の下枠材を載せるとともに、正面網部材２０における枠２１を左右の各側面網部材３０における枠３１の前枠材によって挟み込む。そして、各側面網部材３０における枠３１の前枠材を、正面網部材２０における枠２１の左右の枠材にボルト締結する（図５に示したボルト３０Ｂ参照）。ボルト３０Ｂは枠１１の左右の枠材に設けためねじに螺着される（ナットを用いても可）。
【００３８】
(3)底面網部材１０における枠１１の後枠材の背面側と、左右の各側面網部材３０における枠３１の後枠材の背面側に背面網部材４０を配置する。そして、背面網部材４０における枠４１の下枠材を、底面網部材１０における枠１１の後枠材にボルト締結する（図３に示したボルト４０Ａ参照）とともに、枠４１の左右の枠材を、左右の各側面網部材３０における枠３１の後枠材にボルト締結する（図３に示したボルト４０Ｂ参照）。ボルト４０Ａは枠１１の後枠材に設けためねじに螺着される（ナットを用いても可）。ボルト４０Ｂは枠３１の後枠材に設けためねじに螺着される（ナットを用いても可）。
【００３９】
上述(1)〜(3)により、各網部材１０、２０、３０、４０がボルト接合された箱状の六面体１０１が形成される。
【００４０】
(4)上述(1)〜(3)により形成された六面体１０１の上面の前後２位置に２枚の上面網部材５０のそれぞれを並べ置く。各上面網部材５０の左右の載せ板５３が六面体１０１において相対する側面網部材３０、３０における各枠３１の上枠材の上に載置される。このとき、各上面網部材５０は相対する側面網部材３０、３０の各枠３１がなす対向間隔内に嵌め込まれる。
【００４１】
上述(1)〜(4)により土嚢収容ケース１００が構成されるものになる。土嚢収容ケース１００は、六面体１０１の正面に設けられる正面網部材２０が該正面の下半部（下端寄りの一部）だけを閉鎖し、該正面の残部（上半部）を常時開放するものになる。
【００４２】
また、土嚢収容ケース１００は、六面体１０１の上面に設けられる２枚の上面網部材５０が六面体１０１の上面から常時分離可能に、六面体１０１の側面網部材３０、背面網部材４０等の他の部材に対して非連結状態で上から載置される。即ち、２枚の上面網部材５０は、相対する側面網部材３０に着脱自在であり、六面体１０１の上面を開閉自在とするものになる。
【００４３】
これにより、下記(a)〜(c)の作用効果を奏する。
(a)土嚢収容ケース１００の前面部に立ち、又は土嚢収容ケース１００の中に入った使用者は、土嚢収容ケース１００の内部の土嚢を六面体１０１の正面の上半部の常時開放部１０２（図１、図９）及び上面網部材５０による六面体１０１の上面の開放部１０３（図９）から、容易に取り出しできる。
【００４４】
このとき、六面体１０１の正面は、常時開放されていて、使用者に格別な開放操作を必要としない。
【００４５】
(b)土嚢収容ケース１００の使用者は上面網部材５０を六面体１０１の上面から単に取り除き、六面体１０１の周辺の空きスペースに単に仮置きするだけで、六面体１０１の上面を直ちに開放できる。
【００４６】
(c)上述(a)、(b)により、土嚢収容ケース１００は、六面体１０１の正面や上面の開放に伴う複雑な機械的構造を必要とせず、構造簡素になるし、土嚢の取り出しに不慣れな人々でも簡易に使用でき、土嚢の取り出し作業性が良い。
【００４７】
また、土嚢収容ケース１００の設置スペースも上記正面、更には上面の開放に伴う余分なスペースを必要とせず、可及的に狭小化できる。
【００４８】
また、土嚢収容ケース１００は、地面の上に設置されて使用されるとき、六面体１０１の底面に設けられる底面網部材１０が地面に接する脚部１３を下面に備え、底面網部材１０と地面との間に空隙を介するものになる。
【００４９】
これにより、下記(d)の作用効果を奏する。
(d)土嚢１が底面網部材１０の上に載置されるだけでなく、地面との間に底面網部材１０及びその下の空隙を介するものになり、土嚢１の劣化を防ぐことができる。
【００５０】
また、土嚢収容ケース１００は、六面体１０１を形成する各網部材１０、２０、３０、４０の締結ボルトを取外すことにより、また、上面網部材５０を六面体１０１の上面から分離することにより、それらの網部材を互いに分解できる。
【００５１】
これにより、下記(e)の作用効果を奏する。
(e)土嚢収容ケース１００の製造元から使用先への各部材の運搬性を向上できる。
【００５２】
以下、土嚢収容ケース１００の使用方法の一例について説明する。
(1)土嚢収容ケース１００の使用にあたり、図８に示す如く、底面網部材１０の上にベニヤ板等の底板１４を敷設し、土嚢１を底板１４の上に積載可能にする。
【００５３】
土嚢収容ケース１００は、底面網部材１０の上の底板１４の上に、例えば図９に示す如く、前後方向２個及び左右方向３個の土嚢１を上下に７段積みして収容する。
【００５４】
従って、下記(f)の作用効果を奏する。
(f)底面網部材１０が網目状をなすものの、その上に敷いた底板１４の上に土嚢１を積載することで、土嚢１の破損を防ぐことができる。
【００５５】
(2)土嚢収容ケース１００は、土嚢１を収容した状態で、図９に示す如く、六面体１０１の外周に着脱される耐候性カバー６０を有する。
【００５６】
カバー６０は、図９（Ａ）に示す如く、四角状天面部６１の４つの外縁のそれぞれに前面部６２、左面部６３、右面部６４及び後面部６５（不図示）を連設し、左面部６３と右面部６４のそれぞれを後面部６５の側縁に接合する。前面部６２は左面部６３と右面部６４のそれぞれに対して分離され、かつマジックテープ（登録商標）等を介して着脱可能にされている。
【００５７】
カバー６０の前面部６２を図９（Ｂ）に示す如くにめくり上げ、六面体１０１の上面に載っている前側の上面網部材５０をその後側の上面網部材５０の上に載せ替える。そして、カバー６０をそれらの上面網部材５０の上で図９（Ｃ）に示す如くに六面体１０１の上面に沿う後方側にずらすことで、六面体１０１内の前側に収容されている土嚢１を取り出しできる。
【００５８】
その後、カバー６０の全体を六面体１０１の周囲から取り外し、２枚の上面網部材５０を六面体１０１の上面から取り除くことで、六面体１０１内の後側に残留する土嚢１も取り出しできる。このとき、使用者は六面体１０１の内部の空所に入って土嚢１を取り出し作業することができる。
【００５９】
従って、下記(g)の作用効果を奏する。
(g)カバー６０の存在により、土嚢収容ケース１００に収容された土嚢１が直射日光や雨等にさらされて劣化するのを防ぐことができる。
【００６０】
（実施例２）（図１０）
実施例２の土嚢収容ケース１００が、実施例１の土嚢収容ケース１００と異なる点は、図１０に示す如く、正面網部材２０における枠２１の左枠材を左側の側面網部材３０における枠３１の前枠材に対し、蝶番７０でヒンジ結合して開閉可能にしたことにある。正面網部材２０における枠２１の右枠材は、右側の側面網部材３０における枠３１の前枠材との間に設けた止め具７１によって閉鎖位置に保持される。
【００６１】
この土嚢収容ケース１００によれば、正面網部材２０を蝶番７０まわりに回動して六面体１０１の前面を全面的に開放することで、六面体１０１内の下端側に位置する土嚢１を容易に取り出しできる。
【００６２】
（実施例３）（図１１）
実施例３の土嚢収容ケース１００が、実施例１の土嚢収容ケース１００と異なる点は、図１１に示す如く、正面網部材２０を左右の正面網部材２０Ａ、２０Ｂに分割し、各正面網部材２０Ａ、２０Ｂを左右の側面網部材３０のそれぞれに対し、蝶番８０Ａ、８０Ｂでヒンジ結合して開閉可能にしたことにある。正面網部材２０Ａと正面網部材２０Ｂは、両者の相隣る枠材に設けた止め具８１によって閉鎖位置に保持される。
【００６３】
この土嚢収容ケース１００によれば、正面網部材２０Ａ、２０Ｂを蝶番８０Ａ、８０Ｂまわりに回動して六面体１０１の前面を全面的に開放することで、六面体１０１内の下端側に位置する土嚢１を容易に取り出しできる。
【００６４】
（実施例４）（図１２）
実施例４の土嚢収容ケース１００が、実施例１の土嚢収容ケース１００と異なる点は、図１２に示す如く、正面網部材２０を左右の側面網部材３０の間で上方に抜き取りできるようにしたことにある。正面網部材２０における枠２１の左枠材と右枠材のそれぞれが、左右の各側面網部材３０における枠３１の前枠材に設けた前後一対のガイドレール９０Ｆ、９０Ｒの上方からそれらの間に上下動自在に差し込まれるとともに、枠２１の下枠材が底面網部材１０における枠１１の前枠材の上面に当て止めされる。
【００６５】
この土嚢収容ケース１００によれば、正面網部材２０を左右の側面網部材３０の間から抜き取ることで、六面体１０１の前面を全面的に開放し、六面体１０１の下端側に位置する土嚢１を容易に取り出しできる。
【００６６】
以上、本考案の実施例を図面により詳述したが、本考案の具体的な構成はこの実施例に限られるものではなく、本考案の要旨を逸脱しない範囲の設計の変更等があっても本考案に含まれる。例えは、本考案に係る土嚢収容ケースは、網部材により形成された多面体をなすものであれば良く、六面体からなるものに限らない。また、多面体を形成する網部材は、金属からなるものに限らず、プラスチック等からなるものでも良い。
【産業上の利用可能性】
【００６７】
本考案によれば、構造簡素、かつ土嚢の取り出しに不慣れな人々にとって簡易に使用でき、土嚢の取り出し作業性が良く、しかも設置スペースを可及的に狭小化できる土嚢収容ケースを提供できる。
【符号の説明】
【００６８】
１  土嚢
１０  底面網部材
１３  脚部
１４  底板
２０  正面網部材
３０  側面網部材
４０  背面網部材
５０  上面網部材
６０  カバー
１００  土嚢収容ケース
１０１  六面体（多面体）
１０２  正面の常時開放部
１０３  上面の開放部
【図１】
0003195693.tif 000003
【図２】
0003195693.tif 000004
【図３】
0003195693.tif 000005
【図４】
0003195693.tif 000006
【図５】
0003195693.tif 000007
【図６】
0003195693.tif 000008
【図７】
0003195693.tif 000009
【図８】
0003195693.tif 000010
【図９】
0003195693.tif 000011
【図１０】
0003195693.tif 000012
【図１１】
0003195693.tif 000013
【図１２】
0003195693.tif 000014